(57)【要約】【課題】  固着装置に通用性を付与でき、それぞれ異なる形式の中央処理装置に使用可能な、放熱部材を固着可能で、コストダウンの効果を達成できる放熱部材固着装置を提供する。【解決手段】  内部に収納空間１１が形成される枠体１０と、枠体１０に設けられる二つの突出体同士２０と、肩部３２を連接しており、枠体１０の収納空間１１内に配置され、その肩部３２に枠体１０が圧着している放熱部材３０とからなる。【選択図】      図１ 
0003102270.tif 000002
【実用新案登録請求の範囲】
【請求項１】
内部に収納空間が形成される枠体と、
前記枠体に設けられる二つの突出体同士と、
肩部を連接しており、前記枠体の収納空間内に配置され、その肩部に前記枠体が圧着している放熱部材とからなることを特徴とする放熱部材固着装置。
【請求項２】
前記二つの突出体同士と前記枠体とが一体成形によって形成されることを特徴とする請求項１に記載の放熱部材固着装置。
【請求項３】
前記二つの突出体同士と前記枠体とがばらばらに個別に形成されることを特徴とする請求項１に記載の放熱部材固着装置。
【請求項４】
前記放熱部材にはフィン・ピース同士が設けられ、当該放熱部材のフィン・ピース同士が前記枠体の上面部より突出されることを特徴とする請求項１に記載の放熱部材固着装置。
【請求項５】
前記放熱部材が前記中央処理装置の上方に配置され、当該中央処理装置の外周に固定枠が設けられ、当該固定枠がリベットによってマザー・ボードにロック固着され、また、前記固定枠には掛止孔部を有し、そこに弾力性を有する掛止部材を掛止でき、前記枠体とその枠体内に配置される放熱部材を前記固定枠の内部に収納できるとともに、前記放熱部材の底面部と中央処理装置の上面部とを当接させることができ、また、前記掛止部材の両端部を前記掛止孔部に掛止し、二つの掛止部材を固定枠の対向しあう二箇所に固定し、二つの掛止部材同士によって弾力を加えながら前記二つの突出体同士の突出部を圧制し、それによって枠体と二つの突出体同士とをマザー・ボードに固定し、また、枠体の底面部によって放熱部材の肩部同士に圧制することにより前記放熱部材の底面部を安定に前記中央処理装置の上面部の表面に密着させることができることを特徴とする請求項１に記載の放熱部材固着装置。
【請求項６】
前記放熱部材の底面部を中央処理装置の上面部と当接させ、固定ネジによって枠体の上部の固定孔部を貫通し、且つマザー・ボードに螺着固定し、枠体と二つの突出体とをマザー・ボードに固定し、且つ枠体の底面部を放熱部材の肩部同士に圧制することによって放熱部材の底面部を安定に中央処理装置の上面部の表面に付着させることを特徴とする請求項１に記載の放熱部材固着装置。
【考案の詳細な説明】
【技術分野】
【０００１】
本考案は、放熱部材固着装置に係わり、特に放熱部材を“Ｐｅｎｔｉｕｍ（登録商標）ＩＶ”と“Ｋ７”などの類型の中央処理装置に組立てられ、それをそれぞれの異なるタイプの中央処理装置に利用可能にすることを特徴とする、放熱部材固着装置に関するものである。
【背景技術】
【０００２】
コンピュータ産業の快速的な発展にしたがって、中央処理装置（ＣＰＵ）の発熱する熱エネルギーがますます酷くなり、また、そのサイズも小型化されつつあり、その装置の密集的な熱エネルギーをシステム外の環境へ効果的に発散させるために、つまり、中央処理装置を許容の温度下でオペレーティングさせるために、一般には、大面積の放熱部材をそのものにつけて、その装置に熱エネルギーを発散させることを協力し、中央処理装置のオペレーションのノーマル化と長期間の使用寿命を有するように確保する。
【０００３】
従来に、よく使用される放熱部材には、アルミニウム詰め込み成形タイプのものと、ダイカスト加工成形タイプのものと、折畳み加工成形タイプのものとの三種類の物品があり、アルミニウム詰め込み形成タイプのものとダイカスト加工成形タイプのものとは、機械加工能力のリミットに制限され、その密度（単位体積のトータルの放熱面積）にはかなり限度があり、そのため、発熱の量がますます大きくなる中央処理装置に利用する際に、その体積と重量とも増加してゆく傾向があり、折畳みタイプの放熱装置は高い密度を有することが出来るので、ますます前記のアルミニウム詰め込み成形タイプのものと前記ダイカスト加工成形タイプのものを取り替えるようになっている。
【０００４】
従来に、よく使用されている中央処理装置について、例えば、“Ｉｎｔｅｌ”社生産の“Ｐｅｎｔｉｕｍ（登録商標）ＩＶ”とＡＭＤ社生産の“Ｋ７”とのシリーズのものがある。“Ｐｅｎｔｉｕｍ（登録商標）ＩＶ”の中央処理装置の使用する放熱部材は特定の固定フレームを合せてマザー・ボードに搭載する必要があり、また、“Ｋ７”の中央処理装置の使用する放熱部材がマザー・ボードに固定される場合に、放熱部材の固定用フレームを配置する必要はなく、そのため、“Ｐｅｎｔｉｕｍ（登録商標）ＩＶ”と“Ｋ７”とが共通に使用可能な固定装置を有しないため、業者はこれらの二種の異なるタイプの中央処理装置のそれぞれの場合に応じてそれぞれ異なる形式の固定装置を設計する必要があるので、業者の開発製造の不便さを招き、且つコストを向上する場合もある。
【０００５】
そのため、前記の説明から分かるように、従来の放熱部材の固着装置は、実際に使用される場合に、明らかにその不便さと課題を有し、至極改善される必要がある。
【考案の開示】
【考案が解決しようとする課題】
【０００６】
本考案は、“Ｐｅｎｔｉｕｍ（登録商標）ＩＶ”と“Ｋ７”などタイプの中央処理装置に利用でき、固着装置に通用性を付与でき、それぞれ異なる形式の中央処理装置に使用可能な、放熱部材を固着可能で、コストダウンの効果を達成できる、放熱部材固着装置を提供することをその主要な解決しようとする課題とする。
【課題を解決するための手段】
【０００７】
前記の目的を図るために、本考案は、内部に収納空間が形成される枠体と、前記枠体に設けられる二つの突出体同士と、肩部を連接しており、前記枠体の収納空間内に配置され、その肩部に前記枠体が圧着している放熱部材と、を備えており、“Ｐｅｎｔｉｕｍ（登録商標）ＩＶ”と“Ｋ７”などの形式の中央処理装置に通用可能な放熱部材固着装置を提供する。
【０００８】
本考案の特徴と技術内容をさらに解明するために、以下に添付図面を参照しながら、本考案の優れた実施の形態を詳細的で具体的に説明するが、それらの説明による具体的な構造は単に本考案の実施可能な実施例に過ぎず、本考案を狭義的に定義するものではないことが言うまでもない。
【考案を実施するための最良の形態】
【０００９】
図１に示すように、本考案は、一種の放熱部材固着装置を提供し、それには、枠体１０と、二つの突出体同士２０と、放熱部材３０とを有しており、その中、枠体１０がほぼ方形に形成される中空状枠フレームであり、枠体１０として金属または他の材料からなるものを使用し、枠体１０のサイズが一般の“Ｐｅｎｔｉｕｍ（登録商標）ＩＶ”の中央処理装置の使用する放熱部材固着枠体８０（図２と図３参照）よりやや小さく形成され、その枠体１０を固着枠体８０の内部に納入可能にする。枠体１０の内部に方形を呈する収納空間１１が形成され、収納空間１１が枠体１０の上面部と底面部とを貫通する。
【００１０】
突出体同士２０として金属または他の材料からなるものを使用し、それらの突出体同士２０が枠体１０における対向しあう二つの箇所に配置され、突出体同士２０が枠体１０と一体成形してもよいが、ばらばらに個別に形成してもよい。本実施の形態における突出体２０が枠体１０と一体成形されるものであり、それらの突出体同士２０には逆さまの“Ｕ”字形を呈する突出部２１を有し、且つそれらの突出体同士２０の両側の所定の距離の部位における枠体１０にはそれぞれ固定孔部２４が形成されている。突出体同士２０と枠体１０とが分離式の設計を採用する場合（図６参照）、枠体１０には複数個の第一連接孔部１２が形成され、それらの第一連接孔部１２が枠体１０における対向しあう二箇所に形成され、且つ突出体同士２０の両端部にそれぞれ水平状を呈する翼部２２が形成され、それらの翼部２２には第一連接孔部１２と対応しあう第二連接孔部２３が形成され、連接ネジ４０によってそれらの第一連接孔部１２を貫通して且つ対応しあう第二連接孔部２３に螺合され、突出体同士２０が連接ネジ４０を介して枠体１０における対向しあう二箇所に螺着固定される。固定孔部２４が突出体同士２０における二つの端部に形成され、他に、二つの突出体同士２０も周辺部品と干渉するかと、その係止部材の高さに応じて突出しないように設定されることが出来る。
【００１１】
放熱部材３０として熱伝導性が優れた金属材料からなるものを使用し、放熱部材３０には、複数枚のフィン・ピース同士３１を有し、それらによって放熱面積を増大し、放熱部材３０の対向しあう両側の底部にそれぞれ肩部３２が連接しており、それらの肩部同士３２が放熱部材３０と一体成形の方式によって形成してもよいが、ばらばらに個別に形成されてもよいことは言うまでもない。本考案による放熱部材３０の形式とその形状には特別な限定はなく、放熱装置３０が枠体１０の収納空間１１内に配置してもよく、且つ放熱部材３０のフィン・ピース同士３１を枠体１０の上面部より所定の高さまで突出させてもよく、枠体１０の底面部が放熱部材３０の肩部３２に圧着され、前記のそれぞれの構成と組立てることによって本考案の放熱部材固着装置を構成する。
【００１２】
図２と図３に示すように、本考案は“Ｐｅｎｔｉｕｍ（登録商標）ＩＶ”の中央処理装置９０に利用される場合、放熱部材３０などが中央処理装置９０の上方に配置され、中央処理装置９０の外周に固定枠８０が設けられ、固定枠８０がリベット８１によってマザー・ボード７０にロック固着され、また、固定枠８０には掛止孔部８２を有し、そこに弾力性を有する掛止部材８３を掛止でき、こうすると、枠体１０とその枠体１０内に配置される放熱部材３０を固定枠８０の内部に収納できるとともに、放熱部材３０の底面部と中央処理装置９０の上面部とを当接させることができる。その後、掛止部材８３の両端部を掛止孔部８２に掛止し、二つの掛止部材８３を固定枠８０の対向しあう二箇所に固定し、そうすると、二つの掛止部材同士８３によって弾力を加えながら二つの突出体同士２０の突出部２１を圧制でき、それによって枠体１０と二つの突出体同士２０とをマザー・ボード７０に固定できる。また、枠体１０の底面部によって放熱部材３０の肩部同士３２に圧制する場合、放熱部材３０の底面部が安定に中央処理装置９０の上面部の表面に密着され、中央処理装置９０に放熱させることに助力を与えられ、中央処理装置のオペレーションの安定性と使用寿命の延長を確保できる。
【００１３】
また、本考案は、“Ｐｅｎｔｉｕｍ（登録商標）ＩＶ”の中央処理装置９０に使用される場合に、その中央処理装置９０の外周の固定枠８０を取り外し、また、一部の固定孔部２４を元の固定枠８０の固定孔部にロックしてもよい。
【００１４】
また、図４と図５に示すように、本考案が“Ｋ７”の中央処理装置９０’に使用される場合に、中央処理装置９０’の外周に固定枠を配置する必要はなく、そのままで枠体１０とその枠体１０内に配置される放熱部材３０を直接にマザー・ボード７０にが位置してもよく、また、放熱部材３０の底面部を中央処理装置９０’の上面部と当接させ、その後、固定ネジ５０によって枠体１０の上部の固定孔部２４を貫通し、且つマザー・ボード７０に螺着固定し、枠体１０と二つの突出体２０とをマザー・ボード７０に固定し、且つ枠体１０の底面部を放熱部材３０の肩部同士３２に圧制することによって放熱部材３０の底面部を安定に中央処理装置９０’の上面部の表面に付着させることができ、中央処理装置９０’に放熱させることに助力を与えられるようになる。
【産業上の利用可能性】
【００１５】
本考案による放熱部材固着装置は、“Ｐｅｎｔｉｕｍ（登録商標）ＩＶ”と“Ｋ７”などの形式の中央処理装置に適用でき、業者はそれらの異なるタイプの中央処理装置に応じてそれぞれ異なる形式の固着装置を設計する必要はなく、そのため、本考案の設計は通用性を有し、それぞれ異なるタイプの中央処理装置に対応可能であり、且つ放熱部材の固着に利し、コストを効果的にダウンさせることが出来る。
【００１６】
また、前記に詳しく説明した具体的な構造は単に本考案の実施可能な実施例に過ぎず、本考案の権利主張範囲を狭義的に定義するものではなく、いずれの本考案の技術内容と技術要旨に基づいて実施されるすべての改造や変更や一部転用なども本考案の権利主張範囲内に納入されるべきことは言うまでもない。
【図面の簡単な説明】
【００１７】
【図１】本考案を示す分解斜視図である。
【図２】本考案の第一の使用状態を示す分解斜視図である。
【図３】本考案の第一の使用状態を示す組立斜視図である。
【図４】本考案の第二の使用状態を示す分解斜視図である。
【図５】本考案の第二の使用状態を示す組立斜視図である。
【図６】本考案の他の実施の形態を示す分解斜視図である。
【符号の説明】
【００１８】
１０    枠体
１１    収納空間
１２    第一連接孔部
２０    突出体
２１    突出部
２２    翼部
２３    第二連接孔部
２４    固定孔部
３０    放熱部材
３１    フィン・ピース
３２    肩部
４０    連接ネジ
５０    固定ネジ
７０    マザー・ボード
８０    固定枠
８１    リベット
８２    掛止孔部
８３    掛止部材
９０、９０’  中央処理装置
【図１】
0003102270.tif 000003
【図２】
0003102270.tif 000004
【図３】
0003102270.tif 000005
【図４】
0003102270.tif 000006
【図５】
0003102270.tif 000007
【図６】
0003102270.tif 000008